(57)【特許請求の範囲】
【請求項１】
底フレーム(１８)上に設けられ、回転自在な円板状の加湿エレメント(１５)と、
この加湿エレメント(１５)の外周に嵌合して固定され、外周面に歯(１２)をもつリング状のドリブンギヤ(１１)と、
上記底フレーム(１８)に突設され、上記ドリブンギヤ(１１)に噛合してこのドリブンギヤ(１１)を回転駆動するドライブギヤ(１９)と、
上記底フレーム(１８)のドライブギヤ(１９)に対向する位置に設けられ、上記ドリブンギヤ(１１)の内周面に摺接してこのドリブンギヤ(１１)を案内する案内部材(１)とを備えたことを特徴とする加湿ロータ構造。
【請求項２】
請求項１に記載の加湿ロータ構造において、上記案内部材(１)は、略円弧状であることを特徴とする加湿ロータ構造。
【発明の詳細な説明】
【０００１】
【発明の属する技術分野】
本発明は、外気中から吸着した水分を室内への給気に放出して給気を加湿する加湿ユニットの構成部材である加湿ロータに関する。
【０００２】
【従来の技術】
一般に、加湿ロータは、シリカゲル等の吸着材からなる円板であって、加湿ユニットを構成するケーシング内の支軸の周りに回転駆動され、回転する円板の一側に吸湿ファンで吸い込んだ外気を貫流させて、外気中の水分を吸着する一方、回転する円板の他側に加湿ファンで吸い込み、ヒータで加熱した外気を貫流させて、上記吸着した水分を外気中へ放出させ、加湿空気として室内に送るようになっている。
【０００３】
従来、このような加湿ロータ構造として、例えば図２（Ａ），（Ｂ）に示すようなものが知られている。この加湿ロータ構造は、外周面に歯１２をもつ大径リング状のドリブンギヤ１１と、このドリブンギヤ１１の中心に配置された小径のセンタリング１３との間に、シリカゲル等の吸着材からなる円板状の吸着材１４を嵌着した加湿エレメント１５を備えており、吸着材１４の左半円部を図２（Ｂ）で下から上へ上記吸湿ファンで吸い込まれた外気が貫流し、吸着材１４の右半円部を図２（Ｂ）で上から下へ上記加湿ファンで吸い込まれ、ヒータで加熱された外気が貫流する。
【０００４】
上記加湿エレメント１５は、図２（Ｂ）に示すように、センタリング１３に支軸１７を挿通してケーシング内のリブ状の底フレーム１８上に回転自在に枢支されるとともに、ドリブンギヤ１１の歯１２に、支軸１７の中心から距離Ｄを隔てて底フレーム１８上に枢支されたドライブギヤ１９が噛合して、加湿エレメント１５を回転駆動するようになっている。
【０００５】
【発明が解決しようとする課題】
ところが、上記従来の加湿ロータ構造は、加湿エレメント１５の外周のドリブンギヤ１１の回転中心となる支軸１７の中心と、ドリブンギヤ１１に噛合するドライブギヤ１９の中心が、同じ底フレーム１８上で相当長い距離Ｄだけ隔たっているため、ドリブンギヤ１１の真円度や歯形状などの加工精度が悪くなって、噛合する歯同士が近づき過ぎると、歯先と歯底が衝突して異音が発生し、歯同士が離れ過ぎると、噛合が緩くなって歯の摩耗や回転むらが生じると言う問題がある。逆に、このような問題を生じないようにするには、ドリブンギヤ１１等の加工精度や取り付け精度を上げなければならず、製造コストが上昇するという問題が生じる。
【０００６】
そこで、本発明の目的は、寸法誤差が生じやすいドリブンギヤをドライブギヤに対して高精度に位置決めする手段を工夫することにより、簡素な構成で両ギヤを異音や摩耗を生じさせることなく正確に噛合させることができる加湿ロータ構造を提供することにある。
【０００７】
【課題を解決するための手段】
上記目的を達成するため、本発明の加湿ロータ構造は、底フレーム上に設けられ、回転自在な円板状の加湿エレメントと、この加湿エレメントの外周に嵌合して固定され、外周面に歯をもつリング状のドリブンギヤと、上記底フレームに突設され、上記ドリブンギヤに噛合してこのドリブンギヤを回転駆動するドライブギヤと、上記底フレームのドライブギヤに対向する位置に設けられ、上記ドリブンギヤの内周面に摺接してこのドリブンギヤを案内する案内部材とを備えたことを特徴とする。
【０００８】
上記加湿ロータ構造は、外周にドリブンギヤが嵌合、固定された円板状の加湿エレメントが、底フレーム上に回転自在に設けられ、上記ドリブンギヤの外周面の歯に底フレームに突設されたドライブギヤが噛合してドリブンギヤを回転駆動する。回転駆動されるドリブンギヤは、底フレームのドライブギヤに対向する位置に設けられた案内部材によって内周面が摺接、案内される。底フレーム上の案内部材とドライブギヤとの間隔は、従来の枢支点である加湿エレメント、つまりドリブンギヤの中心とドライブギヤとの間隔に比して遥かに短い。従って、ドリブンギヤの真円度や歯形の加工精度が多少悪くても、ドリブンギヤとドライブギヤは、案内部材とドライブギヤ枢軸との間に挟まれて強制的に一定間隔に保持されるから、互いに正確に噛合させられる。その結果、加湿ロータが回転駆動される際、ドライブギヤとドリブンギヤは、異音や摩耗を生じない。
【０００９】
本発明の一実施形態の加湿ロータ構造は、上記案内部材が、略円弧状であることを特徴とする。
【００１０】
上記加湿ロータ構造では、ドリブンギヤの内周面に摺接する案内部材が、略円弧状であって、ドリブンギヤの周方向における案内部材とドライブギヤの間隔がドライブギヤに対向する位置で最も狭くなっている。従って、案内部材とドリブンギヤの接触長さが短くなって、両者の接触による摩耗を抑えるとともに、ドリブンギヤを円滑に回転させることができる。
【００１１】
【発明の実施の形態】
以下、本発明を図示の実施の形態により詳細に説明する。
図１（Ａ），（Ｂ）は、本発明の加湿ロータ構造の一実施形態を示す平面図およびそのｂ−ｂ線に沿う断面図であり、この加湿ロータ構造は、ドリブンギヤ１１の内周面に摺接する案内部材１を設けた点を除いて、図２で述べた従来例と同じ構成であるので、同じ部材には同一番号を付している。
【００１２】
上記加湿エレメント１５は、外周面に歯１２をもつ大径のドリブンギヤ１１と、その中心に配置されたセンタリング１３との間にシリカゲルの吸着材からなる円板状の吸着材１４を嵌着してなり、センターリング１３に支軸１７を挿通して底フレーム１８上に回転自在に枢支されるとともに、外周のドリブンギヤ１１の歯１２に、底フレーム１８上に枢支された小径のドライブギヤ１９が噛合して、加湿エレメント１５を回転駆動するようになっている。
【００１３】
案内部材１は、底フレーム１８のドライブギヤ１９に対向する位置に、ドリブンギヤ１１の内周面に摺接してこのドリブンギヤを案内するように設けられている。ドライブギヤ１１は、図１(Ｂ)から判るように、下端内側にフランジ１１aをもち、外側上部に歯１２をもつＬ字状の断面を有し、このフランジ１１aに案内部材１が内側から当接する。従って、案内部材１は、厚さが薄く、その上面は、加湿エレメント１５の吸着材１４に略接している。
また、案内部材１は、図１(Ａ)から判るように、ドリブンギヤ１１よりも小さい曲率半径をもつ円弧に形成され、ドリブンギヤ１１の周方向における案内部材１とドライブギヤ１９の軸心との間隔が、図１(Ｂ)中のｄで示すように、ドライブギヤ１９と支軸１７を結ぶ線上で最短になるように配置されている。
なお、図１(Ａ)の平面図で、案内部材は、吸着材１４の下に隠れていて破線で描くべきだが、明瞭化のため実線で描いている。
【００１４】
上記加湿ロータ構造は、次のように動作する。
吸着材１４の中心のセンタリング１３に支軸１７が挿入され、底フレーム１８上に回転自在に枢支される加湿エレメント１５は、外周のドリブンギヤ１１に噛合するドライブギヤ１９によって回転駆動される。回転駆動されるドリブンギヤ１１は、底フレーム１８のドライブギヤ１９に対向する位置に設けられた案内部材１によってフランジ１１ａの内周面が摺接、案内される。共に底フレーム１８上にある案内部材１とドライブギヤ１９の軸心との距離ｄは、両ギヤ１１，１９が適正に噛合するときの間隔に設定され、かつ、図２で述べた従来の加湿エレメントの枢支点である支軸１７の中心とドライブギヤ１９の軸心との距離Ｄに比して遥かに小さい。
従って、ドリブンギヤ１１の真円度や歯１２の歯形の加工精度が多少悪くても、ドリブンギヤ１１とドライブギヤ１９は、案内部材１とドライブギヤ１９の枢軸との間に挟まれて強制的に上記一定間隔ｄに保持されるから、両ギヤ１１，１９は互いに正確に噛合させられる。その結果、加湿ロータ１５が回転駆動される際、噛合する両ギヤ１１，１９は、従来のように接近し過ぎて異音が生じたり、離れ過ぎて歯の摩耗や回転むらが生じたりすることがない。
【００１５】
また、案内部材１が、ドリブンギヤ１１よりも小さい曲率半径をもつ円弧をなして、ドライブギヤ１９と支軸１７を結ぶ線上で案内部材１とドリブンギヤ１９の間が最も狭い間隔ｄになっている。従って、案内部材１とドリブンギヤ１２の周方向の接触長さが短くなって、案内部材１とドリブンギヤ１２の接触による摩耗が抑えられるとともに、ドリブンギヤ１１を円滑に回転駆動させることができる。
【００１６】
なお、上記実施の形態では、加湿エレメント１５の中心にセンタリング１３を設けて、これに底フレーム１８から突出する支軸１７を挿入したが、中心穴をなくして、案内部材１をドリブンギヤ１１の内周に接するように周方向に等間隔を置いて３個以上設けて、加湿エレメント１５を底フレーム１８に回転自在に搭載することもできる。こうすると、加湿エレメントの有効面積を増大できる。
【００１７】
【発明の効果】
以上の説明で明らかなように、本発明の加湿ロータ構造は、外周にドリブンギヤが嵌合、固定された円板状の加湿エレメントを、底フレーム上に回転自在に設け、底フレームに突設したドライブギヤを上記ドリブンギヤの外周に噛合させて回転駆動する一方、底フレームのドライブギヤに対向する位置にドリブンギヤの内周面に摺接してこれを案内する案内部材を設けているので、ドリブンギヤとドライブギヤが案内部材とドライブギヤ枢軸との間に挟まれて短い一定間隔に強制的に保持されるから、ドリブンギヤの真円度や歯の加工精度が多少悪くても、両ギヤが正確に噛合させられて、簡素な構成でもって加湿ロータの回転駆動時における異音の発生およびギヤの摩耗を防止することができる。
【００１８】
本発明の一実施形態では、上記案内部材が略円弧状であるので、案内部材とドリブンギヤとの周方向の接触長さが短くなって、両者の接触による摩耗を抑えつつ加湿ロータを円滑に回転駆動できる。
【図面の簡単な説明】
【図１】本発明の加湿ロータ構造の一実施形態を示す平面図およびそのｂ−ｂ線に沿う断面図である。
【図２】従来の加湿ロータ構造を示す平面図およびそのｂ−ｂ線に沿う断面図である。
【符号の説明】
１  案内部材
１１  ドリブンギヤ
１２  歯
１３  センタリング
１４  吸着材
１５  加湿ロータ
１７  支軸
１８  底フレーム
１９  ドライブギヤ
【図１】
0003608495.tif 000002
【図２】
0003608495.tif 000003